(57)【要約】電気通信ネットワーク（１）に共にリンクされている一又は複数のネットワーク・エレメント（ＮＥ）（２から６）のステータスを監視する方法は、前記ネットワーク（１）における一のＮＥから動作不能ステータス通知を受信し、前記一のＮＥにリンクされている一又は複数の他のＮＥを識別し、そのステータスを決定するためにその又はそれぞれの他のＮＥをポーリングすることを含んでいる。一のＮＥのステータスは、動作中の‘動作可能’な状態であるか、又は故障し‘動作不能’であり得る。一のＮＥがそこにリンクされている任意の他のＮＥのステータスが動作不能であることを決定する場合に、動作不能ステータス通知が前記一のＮＥから受信され得る。動作不能ステータス通知は、その通知を出力したＮＥの情報を含み得る。その又はそれぞれの他のＮＥを識別することは、その通知を出力したＮＥの情報を得るために動作不能ステータス通知にアクセスし、その情報を用いてその又はそれぞれの他のＮＥの識別情報を得ることを含んでいる。その又はそれぞれの他のＮＥをポーリングすることは、少なくとも１つのＳＮＭＰゲットリクエストをそのＮＥに送信することを含み得る。前記方法は、前記ネットワーク（１）のネットワークマネージメントシステム（ＮＭＳ）を用いて実行され得る。
2006501717.tif 000002
【特許請求の範囲】
【請求項１】
電気通信ネットワークに共にリンクされる一又は複数のネットワーク・エレメント（ＮＥ）のステータスを監視する方法であって、
動作不能ステータス通知を前記ネットワーク上のＮＥから受信すること、
前記ＮＥにリンクされている一又は複数の他のＮＥを識別すること、
そのステータスを決定するためにその又はそれぞれの他のＮＥをポーリングすること、
を含んでいる方法。
【請求項２】
ＮＥのステータスが動作している、すなわち動作可能であることを特徴とする請求項１に記載の方法。
【請求項３】
ＮＥのステータスが動作していない、すなわち動作不能であることを特徴とする請求項１に記載の方法。
【請求項４】
ＮＥが、そこにリンクされている任意の他のＮＥのステータスが動作不能であることを決定する場合に、動作不能ステータス通知が前記ＮＥから受信されることを特徴とする上記請求項のいずれか１つに記載の方法。
【請求項５】
各ＮＥが、そこにリンクされているその又はそれぞれの他のＮＥをポーリングし、前記他のＮＥのステータスを決定することを特徴とする請求項４に記載の方法。
【請求項６】
各ＮＥが、シグナリングプロトコルを用いてその又はそれぞれの他のＮＥに対してシグナリングすることによって、そこにリンクされているその又はそれぞれの他のＮＥをポーリングすることを特徴とする請求項５に記載の方法。
【請求項７】
その又はそれぞれの他のＮＥが応答する場合に、そのステータスは動作可能であるとみなされることを特徴とする請求項５又は請求項６に記載の方法。
【請求項８】
その又はそれぞれの他のＮＥが応答しない場合に、そのステータスは動作不能であるとみなされることを特徴とする請求項５又は請求項６に記載の方法。
【請求項９】
前記動作不能ステータス通知が通知を出力したＮＥに関する情報を含んでいることを特徴とする上記請求項のいずれか１つに記載の方法。
【請求項１０】
ＮＥが、一又は複数の他のＮＥにリンクされているそのインターフェースのステータスが動作不能であることを決定する場合に、動作不能ステータス通知が、前記ＮＥから受信されることを特徴とする上記請求項のいずれか１つに記載の方法。
【請求項１１】
インターフェースのステータスは、該インターフェースにリンクされるその又は任意の他のＮＥのステータスが動作不能である場合に、動作不能であることを特徴とする請求項１０に記載の方法。
【請求項１２】
前記動作不能ステータス通知は、前記通知を出力したＮＥに関する情報及び動作不能であるＮＥのその又はそれぞれのインターフェースに関する情報を含むことを特徴とする請求項１０又は請求項１１に記載の方法。
【請求項１３】
その又はそれぞれのインターフェースがハードウェアポートを備え、前記動作不能ステータス通知がハードウェアポートダウントラップを備えていることを特徴とする請求項１０から１２のいずれか１つに記載の方法。
【請求項１４】
前記動作不能ステータス通知は、シグナリングプロトコルを用いて受信されることを特徴とする上記請求項のいずれか１つに記載の方法。
【請求項１５】
シグナリングプロトコルは、ＳＮＭＰ（simple network management protocol）を含んでいることを特徴とする請求項１４に記載の方法。
【請求項１６】
その又はそれぞれの他のＮＥを識別することは、前記通知を出力したＮＥに関する情報を得るために前記動作不能ステータス通知にアクセスすることを含んでいる上記請求項のいずれか１つに記載の方法。
【請求項１７】
その又はそれぞれの他のＮＥを識別することは、各ＮＥ及びそれにリンクされているその又はそれぞれの他のＮＥの詳細を含んでいるリンクデータベースにアクセスすること、及び前記情報を用いてその又はそれぞれの他のＮＥの前記識別情報を得ることを含んでいる請求項１６に記載の方法。
【請求項１８】
その又はそれぞれの他のＮＥを識別することは、前記リンクデータベースにアクセスすること、及び前記情報を用いてその又はそれぞれの他のＮＥのＩＰアドレスを得ることを含んでいる請求項１７に記載の方法。
【請求項１９】
その又はそれぞれの他のＮＥをポーリングすることは、少なくとも１つのＳＮＭＰゲットリクエストを前記ＮＥに送信することを含んでいる上記請求項のいずれか１つに記載の方法。
【請求項２０】
その又はそれぞれの他のＮＥをポーリングすることは、ＴＣＰ／ＩＰ（transmission control protocol / internet protocol）を介して前記ＳＮＭＰを用いることを含んでいる上記請求項のいずれか１つに記載の方法。
【請求項２１】
前記電気通信ネットワークのＮＭＳ（ネットワークマネージメントシステム）を用いることを含んでいる上記請求項のいずれか１つに記載の方法。
【請求項２２】
前記ＮＭＳは、故障マネージャモジュールを含んでいる請求項２０に記載の方法。
【請求項２３】
前記故障マネージャモジュールは、前記ＮＥから前記動作不能ステータス通知を受信することを特徴とする請求項２２に記載の方法。
【請求項２４】
前記故障マネージャモジュールは、前記動作不能ステータス通知を前記ＮＭＳの通知データベースに配置することを特徴とする請求項２３に記載の方法。
【請求項２５】
前記故障マネージャモジュールは、動作不能ステータス通知の受信後にメッセージを出力することを特徴とする請求項２３又は請求項２４に記載の方法。
【請求項２６】
前記ＮＭＳは、監視モジュールを含んでいる請求項２０から２５のいずれか１つに記載の方法。
【請求項２７】
前記監視モジュールは、それが動作不能ステータス通知を受信するとき、前記故障マネージャモジュールから出力されるメッセージを受信することを特徴とする請求項２６に記載の方法。
【請求項２８】
前記監視モジュールは、前記動作不能ステータス通知にアクセスし、前記通知を出力したＮＥに関する情報を得ることを特徴とする請求項２６又は請求項２７に記載の方法。
【請求項２９】
前記監視モジュールは、各ＮＥ及びそれにリンクされているその又はそれぞれの他のＮＥの詳細を含んでいる前記ＮＭＳのリンクデータベースにアクセスし、前記情報を用いてその又はそれぞれの他のＮＥの識別情報を得ることを特徴とする請求項２８に記載の方法。
【請求項３０】
前記監視モジュールは、その又はそれぞれの他のＮＥをポーリングし、そのステータスを決定することを特徴とする請求項２６から２９のいずれか１つに記載の方法。
【請求項３１】
前記監視モジュールは、前記ネットワークのその又はそれぞれの又は幾つかの前記ＮＥのステータスを決定し、そのステータス情報を前記ＮＭＳのステータスデータベースに追加することを特徴とする請求項２６から３０のいずれか１つに記載の方法。
【請求項３２】
前記ＮＭＳはグラフィックユーザインターフェース（ＧＵＩ）モジュールを含んでいる請求項２０から３２のいずれか１つに記載の方法。
【請求項３３】
前記ＧＵＩは、前記ネットワークの一又は複数のＮＥの前記ステータスを前記ネットワークの顧客に報告するのに用いられることを特徴とする請求項３２に記載の方法。
【請求項３４】
前記電気通信ネットワークの前記ネットワーク・エレメントは、ノード、スイッチ、又はルータを備えていることを特徴とする上記請求項のいずれか１つに記載の方法。
【請求項３５】
電気通信ネットワークに共にリンクされている一又は複数のネットワーク・エレメント（ＮＥ）の前記ステータスを監視するためのコンピュータプログラム製品であって、
前記ネットワークの一のＮＥから動作不能ステータス通知を受信するためのコンピュータ読み取り可能なプログラム手段と、
前記ＮＥにリンクされている一又は複数の他のＮＥを識別するためのコンピュータ読み取り可能なプログラム手段と、
その又はそれぞれの他のＮＥをポーリングし、そのステータスを決定するためのためのコンピュータ読み取り可能なプログラム手段と、
を備えているコンピュータプログラム製品。
【請求項３６】
前記電気通信ネットワークのネットワークマネージメントシステム（ＮＭＳ）に含まれていることを特徴とする請求項３５に記載のコンピュータプログラム製品。
【請求項３７】
前記ネットワークの一のＮＥから動作不能ステータス通知を受信するための前記コンピュータ読み取り可能なプログラム手段は、前記ＮＭＳの故障マネージャモジュールを含んでいるコンピュータプログラム製品。
【請求項３８】
前記ＮＥにリンクされている一又は複数の他のＮＥを識別するための前記コンピュータ読み取り可能なプログラム手段は、前記ＮＭＳの監視モジュールを含んでいる請求項３５から３７のいずれか１つに記載のコンピュータプログラム製品。
【請求項３９】
その又はそれぞれの他のＮＥをポーリングし、そのステータスを決定するための前記コンピュータ読み取り可能なプログラム手段は、前記ＮＭＳの前記監視モジュールを含んでいる請求項３５から３８のいずれか１つに記載のコンピュータプログラム製品。
【請求項４０】
電気通信ネットワークに共にリンクされている一又は複数のネットワーク・エレメント（ＮＥ）の前記ステータスは、
前記ネットワークの一のＮＥから動作不能ステータス通知を受信するための受信手段と、
前記ＮＥにリンクされている一又は複数の他のＮＥを識別するための識別手段と、
その又はそれぞれの他のＮＥをポーリングし、そのステータスを決定するためのポーリング手段と、
を含み、監視されていることを特徴とするコンピュータシステム。
【請求項４１】
動作が前記コンピュータプログラム製品によって導かれることを特徴とする請求項３５から３９のいずれか１つに記載のコンピュータシステム。
【請求項４２】
電気通信ネットワークに共にリンクされている一又は複数のネットワーク・エレメント（ＮＥ）を監視するコンピュータシステムのためのコンピュータプログラム命令が記憶されているコンピュータ読み取り可能な媒体であって、
前記ネットワークの一のＮＥから動作不能ステータス通知を受信する手段と、
前記ＮＥにリンクされている一又は複数の他のＮＥを識別する手段と、
その又はそれぞれの他のＮＥをポーリングし、そのステータスを決定する手段と、
を含んでいるコンピュータ読み取り可能な媒体。
【請求項４３】
機械によって読み取り可能なプログラム記憶装置であって、請求項１から３４のいずれか１つに記載の方法を実行するためのプログラム命令をエンコードするプログラム記憶装置。
【発明の詳細な説明】
【技術分野】
【０００１】
本発明は、電気通信ネットワーク・エレメントのステータスを監視することに関する。
【背景技術】
【０００２】
電気通信ネットワーク・エレメントは、一般に、ネットワーク・エレメント（ＮＥ）及びネットワークマネージメントシステム（ＮＭＳ）を備えている。ＮＭＳの一機能は、ＮＥのステータスを監視すること、すなわち各ＮＥのステータスが動作中の‘動作可能（ｕｐ）’な状態であるか、又は故障し‘動作不能（ｄｏｗｎ）’であるかどうかを決定することである。また、ＮＭＳは、ネットワークの顧客に一又は複数のＮＥのステータスを知らせる。これは、ＮＥのステータスが動作不能である場合に特に重要である。最新のネットワークでは、ＮＭＭＳは、順番に各ＮＥをポーリングすることによってＮＥのステータスを監視し、そのステータスを決定する。ＮＥが応答する場合には、そのステータスは動作可能であり、それが応答しない場合には、そのステータスは動作不能である。ＮＥが順番にポーリングされるため、前記監視方法は、特に顧客がＮＥの動作可能なステータスに関して動作することになる場合には、ネットワークの顧客によって要求されるものよりも遅れ得る。例えば、５０００エレメントのネットワークでは、５０００番目のエレメントのステータスを決定する前に、まず、４９９９のＮＥがポーリングされる。５０００番目のエレメントのステータスが動作不能である場合には、これを決定して顧客に知らせるのにかかる時間は、非常に長くなる。加えて、この監視方法のスピードは、ネットワーク上のＮＥの数に依存する。例えば、ＮＥを照会するのに１０秒かかる場合、１０エレメントのネットワークで全てのＮＥのステータスを決定するには１００秒かかるが、１００００エレメントのネットワークで全てのＮＥのステータスを決定するには、１０００００秒かかる。ＮＥのステータスの特に動作不能なステータスは、ネットワークの顧客に有用な情報であるために所定の制限時間内に報告される必要があり、制限時間は、ネットワークの大きさが増大しても大きくなるべきではない。それゆえ、任意のＮＥのステータスを迅速に決定することができ、ネットワークの大きさが増大しても遅れることはないＮＥのステータスを監視する方法を用いることが望ましい。
【発明の開示】
【課題を解決するための手段】
【０００３】
本発明の第１の態様によると、電気通信ネットワークにおいて共にリンクされる一又は複数のネットワーク・エレメント（ＮＥ）のステータスを監視する方法であって、
前記ネットワーク上の一のＮＥから動作不能ステータス通知を受信し、前記一のＮＥにリンクされる一又は複数の他のＮＥを識別し、その又はそれぞれの他のＮＥをポーリングしてそのステータスを決定することを備える方法が提供される。
【０００４】
動作不能ステータス通知の受信後、その又はそれぞれの他のＮＥの識別及びポーリングは迅速に実行され得る。ネットワークの顧客は、それゆえ、十分に短い期間内にＮＥのステータスを知らされる。加えて、例えば、受信されることになる通知に０．２秒かかり、別のＮＥを識別してポーリングするのに１０秒かかる場合、他のＮＥのステータスを決定するのに１０．２秒かかる。ネットワーク上に１０のＮＥ又は１００００のＮＥが存在する場合には同じ時間量がかかる。顧客にＮＥのステータスを通知するための制限時間が存在するため、本発明は、ＮＥステータスを報告するのに要する時間とネットワークの大きさとの間の関係を取り除く。ＮＥのステータスは、動作中すなわち動作可能であり得る。ＮＥのステータスは、故障し、すなわち動作不能であり得る。
【０００５】
ＮＥがそこにリンクされる任意の他のＮＥのステータスが動作不能であることを決定する場合には、動作不能ステータス通知は、ＮＥから受信され得る。各ＮＥは、他のＮＥのステータスを決定するためにそこにリンクされるその又はそれぞれの他のＮＥをポーリングし得る。各ＮＥは、ＰＮＮＩ（public network to network interface）プロトコルなどのシグナリングプロトコルを用いて、他のＮＥにシグナリングすることによってそこにリンクされるその又はそれぞれの他のＮＥをポーリングし得る。その又はそれぞれの他のＮＥが応答する場合、そのステータスは、動作可能であるとみなされ得る。その又はそれぞれの他のＮＥが応答しない場合、そのステータスは、動作不能であるとみなされ得る。動作不能ステータス通知は、通知を出力したＮＥ上の情報を含み得る。
【０００６】
動作不能ステータス通知は、一又は複数の他のＮＥにリンクされるインターフェースのステータスが動作不能であることを決定する場合に、一のＮＥから受信され得る。インターフェースのステータスは、インターフェースにリンクされるその又は任意の他のＮＥのステータスが動作不能である場合、動作不能であり得る。動作不能ステータス通知は、通知を出力したＮＥ上の情報、及び動作不能であるＮＥのその又はそれぞれのインターフェース上の情報を含み得る。その又はそれぞれのインターフェースはハードウェアポートを備え得る。動作不能ステータス通知は、ハードウェアポートダウントラップを備え得る。
【０００７】
動作不能ステータス通知は、シグナリングプロトコルである、例えばＳＮＭＰ（simple network management protocol）を用いて受信され得る。用いられるＳＮＭＰは、望ましくは、動作不能ステータス通知再送機能を有しており、それらの意図した宛先に到達していない通知は設定可能な回数を送り返される。ＳＮＭＰバージョン３はその再送機能を有している。
【０００８】
その又はそれぞれの他のＮＥを識別することは、動作不能ステータス通知にアクセスすることを含んでおり、通知を出力したＮＥ上の情報を得ることができる。その又はそれぞれの他のＮＥを識別することは、動作不能ステータス通知にアクセスすることを含んでおり、通知を出力したＮＥ上の情報及び動作不能であるＮＥのその又はそれぞれのインターフェース上の情報を得ることができる。その又はそれぞれの他のＮＥを識別することは、各ＮＥ及びそれにリンクされるその又はそれぞれの他のＮＥの詳細を含んでいるリンクデータベースにアクセスすること、及びその情報を用いてその又はそれぞれの他のＮＥの識別情報を得ることを含む。その又はそれぞれの他のＮＥを識別することは、リンクデータベースにアクセスすること、及びその又はそれぞれの他のＮＥのＩＰアドレスを得るための情報を用いることを含み得る。
【０００９】
その又はそれぞれの他のＮＥをポーリングすることは、少なくとも１つのＳＮＭＰゲットリクエスト（SNMP get request）をＮＥに送信することを含み得る。その又はそれぞれの他のＮＥをポーリングすることは、ＴＣＰ／ＩＰ（transmission control protocol / internet protocol）上でＳＮＭＰを用いることを含み得る。その又はそれぞれの他のＮＥをポーリングすることは、ＩＰ上でＩＣＭＰ（internet control message protocol）を用いることを含み得る。
【００１０】
方法は、電気通信ネットワークのＮＭＳ（network management system）を用いることを含み得る。ＮＭＳは、ネットワークの一又は複数のＮＥのステータスを監視することを含み、多くの機能を実現し得る。ＮＭＳは、例えば、Ｓｏｌａｒｉｓコンピュータシステム、又はＨＰＵＸコンピュータシステム、又はＷｉｎｄｏｗｓ（登録商標）  ＮＴ／２０００コンピュータシステムを含む、コンピュータシステム上で実行され得る。ＨＭＳコンピュータシステムは、ネットワークのその又はそれぞれの又は幾つかのＮＥにリンクされ得る。ＮＭＳコンピュータシステムは、ＩＰ上でネットワークのその又はそれぞれの又は幾つかのＮＥと通信し得る。
【００１１】
ＮＭＳは故障マネージャモジュール（fault manager module）を含み得る。故障マネージャモジュールは、ＮＥから動作不能ステータス通知を受信し得る。故障マネージャモジュールは、シグナリングプロトコルである例えばＳＮＭＰを用いて動作不能ステータス通知を受信し得る。故障マネージャモジュールは、ＮＭＳの通知データベースに動作不能ステータス通知を配置し得る。故障マネージャモジュールは、動作不能ステータス通知の受信後にメッセージを出力し得る。
【００１２】
ＮＭＳは監視モジュール（monitoring module）を備え得る。監視モジュールは、それが動作不能ステータス通知を受信する時、故障マネージャモジュールから出力されたメッセージを受信し得る。監視モジュールは、動作不能ステータス通知にアクセスし、通知を出力したＮＥ上の情報を得る。監視モジュールは、動作不能ステータス通知にアクセスし、通知を出力したＮＥ上の情報、及び動作不能であるＮＥのその又はそれぞれのインターフェース上の情報を得る。監視モジュールは、各ＮＥ及びそれにリンクされるその又はそれぞれの他のＮＥの詳細を含むＮＭＳのリンクデータベースにアクセスし、その又はそれぞれの他のＮＥの通知を得るための情報を用い得る。監視モジュールは、リンクデータベースのリンクテーブルにアクセスし、その情報を用いてその又はそれぞれの他のＮＥの識別情報を得る。監視モジュールは、リンクデータベースにアクセスし、その又はそれぞれの他のＮＥのＩＰアドレスを得るための情報を用い得る。監視モジュールは、そのステータスを決定するためにその又はそれぞれの他のＮＥをポーリングし得る。監視モジュールは、少なくとも１つのＳＮＭＰゲットリクエストをＮＥに送信することによってその又はそれぞれの他のＮＥをポーリングし得る。監視モジュールは、ＴＣＰ／ＩＰ上のＳＮＭＰを用いて、その又はそれぞれの他のＮＥをポーリングし得る。監視モジュールは、ネットワークのその又はそれぞれの又は幾つかのＮＥのステータスを決定し、ステータス情報をＮＭＳのステータスデータベースに付加し得る。
【００１３】
ＮＭＳは、グラフィックユーザインターフェース（ＧＵＩ）モジュールを備え得る。ＧＵＩモジュールは、ステータスデータベースからネットワークの一又は複数のＮＥのステータスに関する情報を受信し得る。ＧＵＩモジュールは、ステータスデータベースからネットワークの一又は複数のＮＥのステータスの変化に関する情報を受信し得る。ＧＵＩモジュールは、ネットワークの顧客に対してネットワークの一又は複数のＮＥのステータスを報告するのに用いられ得る。ＧＵＩモジュールは、ネットワークの顧客に対してネットワークの一又は複数のＮＥのステータスの変化を報告するのに用いられ得る。ＧＵＩモジュールは、ネットワークの顧客に対してネットワーク上の一又は複数のＮＥのステータス及び／又はステータスの変化を報告するためにＮＥのリスト画面を用い得る。ＧＵＩモジュールは、そのＮＥに最も近いＮＥのリスト画面のグリーンボール（green ball）を用いて、ＮＥの動作可能なステータスを報告し得る。ＧＵＩモジュールは、そのＮＥに最も近いＮＥのリスト画面のレッドボール（red ball）を用いて、ＮＥの動作不能ステータスを報告し得る。
【００１４】
電気通信ネットワークにおけるネットワーク・エレメントは、例えば、ノード、スイッチ、又はルータを含み得る。電気通信ネットワークは、例えば、非同期転送モード（ＡＴＭ）ネットワーク又はインターネットプロトコル（ＩＰ）ネットワーク、又はマルチプロトコルラベルスイッチング（ＭＰＬＳ）ネットワークを含み得る。
【００１５】
前記方法は、順番に電気通信ネットワークの各ＮＥをポーリングして並列に実行し得る。
【００１６】
本発明の第２の態様によると、電気通信ネットワークおいて共にリンクされる一又は複数のネットワーク・エレメント（ＮＥ）のステータスを監視するコンピュータプログラム製品であって、
前記ネットワークの一のＮＥからの動作不能ステータス通知を受信するコンピュータ読み取り可能なプログラム手段と、
前記一のＮＥにリンクされる一又は複数の他のＮＥを識別するコンピュータ読み取り可能なプログラム手段と、
それの前記ステータスを決定するためにその又はそれぞれの他のＮＥをポーリングするコンピュータ読み取り可能なプログラム手段と、
を含むコンピュータプログラム製品が提供される。
【００１７】
コンピュータプログラム製品は、電気通信ネットワークのネットワークマネージメントシステム（ＮＭＳ）に備えられる。ＮＭＳは、例えばＳｏｌａｒｉｓコンピュータシステム、ＨＰＵＸコンピュータシステム、又はＷｉｎｄｏｗｓ（登録商標）  ＮＴ／２０００コンピュータシステムを備え得るコンピュータシステム上で実行し得る。
【００１８】
ネットワークの一のＮＥから動作不能ステータス通知を受信するコンピュータ読み取り可能なプログラム手段は、ＮＭＳの故障マネージャモジュールを備え得る。故障マネージャモジュールは、シグナリングプロトコルである例えばＳＮＭＰを用いて動作不能ステータス通知を受信し得る。故障マネージャモジュールは、ＮＭＳの通知データベースに動作不能ステータス通知を配置し得る。故障マネージャモジュールは、動作不能ステータス通知の受信後にメッセージを出力し得る。
【００１９】
ＮＥにリンクされている一又は複数の他のＮＥを識別するコンピュータ読み取り可能なプログラム手段は、ＮＭＳの監視モジュールを含み得る。その中のステータスを決定するためにその又はそれぞれの他のＮＥをポーリングするコンピュータ読み取り可能なプログラム手段は、ＮＭＳの監視モジュールを含み得る。監視モジュールは、故障マネージャモジュールが動作不能ステータス通知を受信する際に故障マネージャモジュールから出力されるメッセージを受信し得る。監視モジュールは、通知を出力したＮＥ上の情報を得るために動作不能ステータス通知にアクセスし得る。監視モジュールは、通知を出力したＮＥ上の情報、及び動作不能であるＮＥのその又はそれぞれのインターフェース上の情報を得るために動作不能ステータス通知にアクセスし得る。監視モジュールは、各ＮＥ及びそこにリンクされているその又はそれぞれの他のＮＥの詳細を含んでいるＮＭＳのリンクデータベースにアクセスし、その情報を用いてその又はそれぞれの他のＮＥの識別情報を得る。監視モジュールは、リンクデータベースのリンクテーブルにアクセスし、その情報を用いてその又はそれぞれの他のＮＥの識別情報を得る。監視モジュールは、リンクデータベースにアクセスし、その情報を用いてその又はそれぞれの他のＮＥのＩＰアドレスを得る。監視モジュールは、その又はそれぞれの他のＮＥをポーリングし、そのステータスを決定する。監視モジュールは、少なくとも１つのＳＮＭＰゲットリクエストをＮＥに送信することによってその又はそれぞれの他のＮＥをポーリングし得る。監視モジュールは、ＴＣＰ／ＩＰ上のＳＮＭＰを用いてその又はそれぞれの他のＮＥをポーリングし得る。監視モジュールは、ネットワークのその又はそれぞれの又は幾つかのＮＥのステータスを決定し、ステータス情報をＮＭＳのステータスデータベースに付加し得る。
【００２０】
さらに、コンピュータプログラム製品は、ＮＭＳのグラフィックユーザインターフェース（ＧＵＩ）モジュールを含み得る。ＧＵＩモジュールは、ステータスデータベースからネットワークの一又は複数のＮＥのステータスに関する情報を受信し得る。ＧＵＩモジュールは、ステータスデータベースからネットワークの一又は複数のＮＥのステータスの変化に関する情報を受信し得る。ＧＵＩモジュールは、ネットワークの一又は複数のＮＥのステータスをネットワークの顧客に報告するのに用いられ得る。ＧＵＩモジュールは、ネットワークの一又は複数のＮＥのステータスの変化をネットワークの顧客に報告するのに用いられ得る。ＧＵＩモジュールは、ネットワークにおける一又は複数のＮＥのステータス及び／又はステータスの変化をネットワークの顧客に報告するのにＮＥのリスト画面を用い得る。ＧＵＩモジュールは、そのＮＥに最も近いＮＥのリスト画面のグリーンボールを用いてＮＥの動作可能なステータスを報告し得る。ＧＵＩモジュールは、そのＮＥに最も近いＮＥのリスト画面のレッドボールを用いてＮＥの動作不能ステータスを報告し得る。
【００２１】
本発明の第３の態様によると、電気通信ネットワークに共にリンクされている一又は複数のネットワーク・エレメント（ＮＥ）のステータスが監視されるコンピュータシステムであって、
前記ネットワークの一のＮＥから動作不能ステータス通知を受信する受信手段と、
前記一のＮＥにリンクされる一又は複数の他のＮＥを識別する識別手段と、
そのステータスを決定するためにその又はそれぞれの他のＮＥをポーリングするポーリング手段と、を含んでいるコンピュータシステムが提供される。
【００２２】
本発明の第４の態様によると、動作が本発明の第２の態様に従ってコンピュータプログラム製品によって指示されるコンピュータシステムが提供される。
【００２３】
本発明にかかる第３又は第４の態様のコンピュータシステムは、例えば、Ｓｏｌａｒｉｓコンピュータシステム、ＨＰＵＸコンピュータシステム、又はＷｉｎｄｏｗｓ（登録商標）  ＮＴ／２０００コンピュータシステムを含み得る。
【００２４】
本発明の第５の態様によると、
電気通信ネットワークに共にリンクされている一又は複数のネットワーク・エレメント（ＮＥ）のステータスを監視するコンピュータシステムに対してコンピュータプログラムの命令を記憶するコンピュータ読み取り可能な媒体であって、
前記ネットワークの一のＮＥから動作不能ステータス通知を受信する手段と、
前記一のＮＥにリンクされる一又は複数の他のＮＥを識別する手段と、
その中の前記ステータスを決定するためにその又はそれぞれの他のＮＥをポーリングする手段と、を備えているコンピュータ読み取り可能な媒体が提供される。
【００２５】
本発明の第６の態様によると、
機械によって読み取り可能であって、本発明の前記第１の態様に従う方法を実行するためのプログラム命令をエンコードする、プログラム記憶装置が提供される。
【００２６】
ここで、本発明の実施例が、専ら例を通し、添付図面を参照して説明される。
【発明を実施するための最良の形態】
【００２７】
図１は、ネットワーク・エレメント（ＮＥ）２、３、４、５、及び６と、ネットワークマネージメントシステム（ＮＭＳ）７を備える電気通信ネットワーク１を例証する。ＮＥのそれぞれはノードを含み、示されているようにケーブルを用いて共にリンクされている。各ＮＥは、示されているようにケーブルを用いてさらにＮＭＳにリンクされている。
【００２８】
さらに、ＮＭＳ７は図２に例証される。これはＷｉｎｄｏｗｓ（登録商標）  ＮＴコンピュータシステムで実行される。ＮＭＳ７は、示されているように共にリンクされる、故障マネージャモジュール２０、監視モジュール２１、データベース２２、及びグラフィックユーザインターフェース（ＧＵＩ）モジュール２３を備えている。
【００２９】
ネットワーク上の一又は複数のＮＥのステータスは、以下のように監視される。
【００３０】
それぞれＮＥ２から６は、定期的に、それにリンクされるその又はそれぞれの他のＮＥをポーリングし、他のＮＥのステータスを決定する。これは、ＰＮＮＩシグナリングプロトコルを用いて実行される。その又はそれぞれの他のＮＥが応答する場合、そのステータスは動作可能であるとみなされ、その又はそれぞれの他のＮＥが応答しない場合、そのステータスは動作不能であるとみなされる。ＮＥが、それにリンクされる任意の他のＮＥのステータスが動作不能であることを決定する場合、それはＳＮＭＰを用いてＮＭＳ７の故障マネージャモジュール２０によって受信される動作不能ステータス通知を発行する。故障マネージャモジュール２０は、ＮＭＳ７のデータベース２２に動作不能ステータス通知を配置し、ＮＭＳ７の監視モジュール２１にメッセージを出力する。
【００３１】
監視モジュール２１は、故障マネージャモジュール２０が動作不能ステータス通知を受信する際に、故障マネージャモジュール２０から出力されるメッセージを受信する。監視モジュール２１は、動作不能ステータス通知にアクセスし、通知を出力したＮＥに関する情報を得る。監視モジュール２１は、その後、それぞれのＮＥ及びそれにリンクされるその又はそれぞれの他のＮＥの詳細を含むＮＭＳ７のデータベース２２にアクセスし、通知からの情報を用いて、その又はそれぞれの他のＮＥの識別情報である、例えばその又はそれぞれの他のＮＥのＩＰアドレスを得る。
【００３２】
監視モジュール２１は、その又はそれぞれの他のＮＥをポーリングし、ＴＣＰ／ＩＰのＳＮＭＰを用いて少なくとも１つのＳＮＭＰゲットリクエストをＮＥに送信することによってそのステータスを決定する。一度、その又はそれぞれの他のＮＥが決定されると、これはＮＭＳ７のデータベース２２に追加される。
【００３３】
ＮＭＳ７のＧＵＩモジュール２３は、データベース２２からのネットワークのＮＥのステータスに関する情報を受信し、ネットワークの顧客にＮＥのステータスの変化を報告する。これは、ＮＥの動作可能ステータスがそのＮＥに最も近い画面のグリーンボールを用いて報告され、ＮＥの動作不能ステータスがそのＮＥに最も近い画面のレッドボールを用いて報告されるＮＥリスト画面を用いて実行される。
【００３４】
このように、ＮＥが動作不能になれば、これは近隣ＮＥによって検出され、動作不能ステータス通知がＮＭＳに発行される。ＮＭＳは、その後、操作不能なＮＥをポーリングして、そのステータスを決定／検査し得る。これは、動作不能ステータス通知の受信に関して実行され、すなわち、列をなしてポーリングすることに関連する時間遅延が消去される。それゆえ、ネットワークの顧客は、十分に短い期間内にＮＥの動作不能ステータスを知らされ得る。加えて、ネットワーク内に１０のＮＥ又は１００００のＮＥが存在するとしても、ＮＥのステータスを決定するのにかかる時間は同じである。それゆえ、顧客にＮＥのステータスを知らせるには制限時間が存在する。
【図面の簡単な説明】
【００３５】
【図１】ステータスが本発明の第１の態様に係る方法を用いて監視されるネットワーク・エレメントを備える電気通信ネットワークの概略表現である。
【図２】図１の電気通信ネットワークのネットワークマネージメントシステムの概略表現である。
【図１】
2006501717.tif 000003
【図２】
2006501717.tif 000004
【国際調査報告】
2006501717.tif 000005